(57)【要約】【課題】絵画等の表示用紙を額縁の正面に表示するだけではなく、額縁の背面にもその絵画の説明書等の別個の表示用紙を取替え自在に表示することができる両面額縁を提供することを目的とする。【解決手段】正面に設けられた透明板２を介して表示用紙３が見えるようにした額縁の背面に別個の表示用紙５を設けて背面の透明板６で挟持すると共に、該背面の透明板６の周部を押え縁７で係止して額縁１に取り外し自在に固定したものであり、押え縁７は粘着テープ９で額縁１の背面縁部８ｂに貼り付けるようにするとよい。【選択図】図１
2004017522.tif 000002
【特許請求の範囲】
【請求項１】
正面に設けられた透明板を介して表示用紙が見えるようにした額縁の背面に別個の表示用紙を設けて背面の透明板で挟持すると共に、該背面の透明板の周部を押え縁で係止して前記額縁に取り外し自在に固定したことを特徴とする両面額縁。
【請求項２】
前記押え縁は粘着テープで前記額縁の背面縁部に貼り付けるようにしたことを特徴とする請求項１記載の両面額縁。
【発明の詳細な説明】
【０００１】
【発明の属する技術分野】
本発明は、絵画等の表示用紙を額縁の正面に表示するだけではなく、背面にも表示することができる両面額縁に関するものである。
【０００２】
【従来の技術】
従来の額縁の構成は、ガラス等の透明板を額縁に係止すると共に、この透明板に絵画、書画、写真、イラスト、各種の案内書等の用紙（この用紙を本発明においては、「表示用紙」と云う）を挟んで台紙で支持する一方、台紙の周部を額縁に固定し、又はこの台紙を取り外すことによって、絵画等の表示用紙を交換可能にしている。
【０００３】
このような従来の額縁において、正面に表示した絵画等の内容を説明するため、その説明書を背面の台紙に貼り付ける方法があるが、この方法は台紙を汚してしまったり、一端貼り付けると容易に取り替えることができないという問題がある。
【０００４】
また、額縁の正面に表示した絵画等の内容を説明するのに、その説明書を別途掲示すると、そのためのスペースと他の表示具を用意する必要があり、余分な手間と経費が必要となる。
【０００５】
【発明が解決しようとする課題】
本発明は、上記の事情に鑑みて成されたもので、絵画等の表示用紙を額縁の正面に表示するだけではなく、額縁の背面にもその絵画の説明書等の別個の表示用紙を取替え自在に表示することができる両面額縁を提供することを目的とする。
【０００６】
【課題を解決するための手段】
上記の目的を達成するために、本発明の請求項１の両面額縁は、正面に設けられた透明板を介して表示用紙が見えるようにした額縁の背面に別個の表示用紙を設けて背面の透明板で挟持すると共に、該背面の透明板の周部を押え縁で係止して前記額縁に取り外し自在に固定したことを特徴とする。
【０００７】
さらに、本発明の請求項２の両面額縁は、請求項１において、前記押え縁は粘着テープで前記額縁の背面縁部に貼り付けるようにしたことを特徴とする。
【０００８】
【発明の実施の形態】
以下、本発明の実施例について図面を参照しながら説明する。
【０００９】
図１（ａ）は本発明による両面額縁１の正面斜視図であり、図１（ｂ）は背面斜視図である。この両面額縁１は、図１（ａ）に示すように絵画等の表示用紙３を正面側に表示するだけではなく、図１（ｂ）に示すように別個の表示用紙５を背面側にも表示可能とすることによって、額縁の両面で表示可能としたものである。このような両面額縁１においては、図１（ａ）の正面の表示状態を裏返すだけで、図１（ｂ）の背面の表示状態にすることができる。
【００１０】
このような両面額縁１の構成についてより詳細に述べると、図１（ａ）に示すように、額縁１の正面は、正面透明板２を介して正面表示用紙３が見えるようにしてある。
【００１１】
本発明においては、図１（ｂ）に示すように、この両面額縁１の背面に別個の表示用紙（背面表示用紙５）を背面の透明板６で挟持すると共に、該背面の透明板６の周部を押え縁７で係止して額縁の縁部に取り外し自在に固定したことによって、正面表示用紙３だけでなく、背面表示用紙５を取替え自在にしている。
【００１２】
図２は、本発明による両面額縁１の分解斜視図であり、図面の下方が額縁の正面側に相当する。この両面額縁１の周部は方形の枠部材８からなり、図３（ａ）又は（ｂ）に示すように、内方ヘ突出した周り縁部８ａによって正面透明板２を支持するようにしている。
【００１３】
正面透明板２は、従来の額縁と同様に、透明のガラス板やプラスチック板或いはアクリル板等の透明合成樹脂板によって形成している。また、正面透明板２に絵画等、その他の正面表示用紙３を挟んで台紙４で支持する。
【００１４】
本発明においては、この台紙４の背部に当てた背面表示用紙５を背面透明板６で挟むようにしている。背面透明板６は、正面透明板２と同様に、透明のガラス板やアクリル板等の透明合成樹脂板を使用してもよいし、軽量化を考慮して正面透明板２よりも薄いプラスチック板を使用してもよい。
【００１５】
このような正面透明板２と正面表示用紙３と台紙４と背面表示用紙５と背面透明板６のうち、台紙４を省略した構成してもよい。このような構成においては、正面透明板２と背面透明板６とが台紙４の機能を兼ねることになる。
【００１６】
いずれにしても、図３（ａ）に示すように、これらの用材を重ねて両面額縁１の内方に突出した周り縁部８ａに係止すると共に、背面縁部８ｂの内方に押え縁７を嵌め込んで、背面透明板６の周部を押える。
【００１７】
この押え縁７は、角材を四辺に組み合わせた構成としてもよいが、予め両面額縁１の背面縁部８ｂの内周寸法に合わせて枠形状に形成したものとしてもよい。また、押え縁７の厚さは、これを上記のように取り付けた状態で、両面額縁１の背面縁部８ｂの背部と押え縁７の背部とが一致するものとする。
【００１８】
そして、両面額縁１の背面縁部８ｂの背部と押え縁７の背部とが一致した面を幅広の粘着テープ９で同時に貼り付けることによって固定することができる。また、粘着テープ９を剥すことによって、押え縁７を取り外し、背面表示用紙５を交換することができる。
【００１９】
なお、上記の構成において、両面額縁１の背面縁部８ｂに押え縁７を着脱自在に取り付ける方法としては、上記のように粘着テープ９を用いる方法が簡易で綺麗に仕上げられる方法であるが、これに限定されることなく、他の方法で押え縁７を両面額縁１の背面縁部８ｂに固定するようにしてもよい。
【００２０】
また、本発明による両面額縁１の表示方法は、従来の額縁と同様に、紐等で吊り下げて壁等に表示する方法、或いは、両面額縁１を傾斜状態に掲示する支持具を用いて表示する方法等がある。
【００２１】
【発明の効果】
以上説明した本発明の両面額縁によれば、正面に設けられた透明板を介して表示用紙が見えるようにした額縁の背面に別個の表示用紙を設けて背面の透明板で挟持すると共に、該背面の透明板の周部を押え縁で係止して前記額縁に取り外し自在に固定した構成により、絵画等の表示用紙を額縁の正面に表示するだけではなく、額縁の背面にもその絵画の説明書等を取替え自在に表示することが可能となり、額縁を裏返すだけで背面の表示を見ることが可能となる。
【００２２】
また、押え縁は粘着テープで額縁の背面縁部に貼り付けることにより、容易な構成によって、押え縁を取り外し可能に固定することができ、額縁の背面を綺麗な状態に保つことができる。
【００２３】
以上のように、本発明の両面額縁によれば、正面と背面の両側に表示用紙を取替え可能に表示することができるため、額縁の正面と背面の夫々に絵画とその説明書を表示したり、異なる絵画等を表示したりすることができ、使用者の選択によって、額縁の両面を利用した表示形態とすることが可能となる。
【図面の簡単な説明】
【図１】（ａ）は本発明による両面額縁の正面斜視図、（ｂ）は背面斜視図である。
【図２】本発明による両面額縁の分解斜視図である。
【図３】本発明による両面額縁の断面図であり、（ａ）は押え縁を取り付けていない状態、（ｂ）は押え縁と粘着テープを取り付けた状態を示す。
【符号の説明】
１…両面額縁
２…正面透明板
３…正面表示用紙
４…台紙
５…背面表示用紙
６…背面透明板
７…押え縁
８…枠部材
８ａ…周り縁部
８ｂ…背面縁部
９…粘着テープ
【図１】
2004017522.tif 000003
【図２】
2004017522.tif 000004
【図３】
2004017522.tif 000005